(57)【要約】　【課題】箱体13の積み降ろしがしやすく、箱体13上に蓋体14を配置してもこの箱体13上に積み重ねる箱体13が荷崩れせずに積み重ねられる包装装置11を提供する。　【解決手段】箱体13の上側枠部22の長手方向に沿った２辺にストッパ体30を設け、各ストッパ体30からストッパ部32をそれぞれ立ち上げる。箱体13を積み重ねる場合には、上段の箱体13の底部を下段の箱体13のストッパ部32の内側間にのみ位置合わせして配置すれば、箱体13を積み重ねられる。箱体13を降ろす場合には、下段の箱体13のストッパ部32がない長手方向に上段の箱体13を移動させれば、箱体13を降ろせる。蓋体14をストッパ部32の内側間でかつ上側枠体22上に配置した状態でも、ストッパ部32が蓋体14より上方に突出して積み重ねた上段の箱体13を保持する。　【選択図】図１
2004131185.tif 000002
【特許請求の範囲】
【請求項１】
　開口部を有する枠状でかつ互いに対向する２辺が他の辺より長く設けられた上側枠部、上側枠部の外形状に対応して設けられた底面部、上側枠部と底面部との間で折畳み可能に設けられた側面部を備えた箱体と；
　箱体の上側枠部上に開口部を閉塞して着脱可能に配置される蓋体と；
　箱体の上側枠部の長手方向に沿った２辺からそれぞれ立ち上げられたストッパ部を有し、これらストッパ部の内側間でかつ上側枠部上に蓋体と箱体を積み重ねる場合の積み重ねる側の箱体の底部とがそれぞれ配置可能とし、ストッパ部は蓋体の配置状態で蓋体より上方に突出するストッパ体と；
　を具備していることを特徴とする包装装置。
【請求項２】
　箱体の側面部は、
　上側枠部および底面部における一方の互いに対向する２辺に上下縁部がそれぞれ折曲可能に設けられ、組立時に箱体の側面に配置されるとともに折畳み時に中間部が箱体の内方域へ折り畳まれる一対の第１の側面部と、
　上側枠部における他方の互いに対向する２辺に上縁部がそれぞれ折曲可能に設けられ、組立時に一対の第１の側面部の内側間で箱体の側面に配置されるとともに折畳み時に箱体の内方域へ折り畳まれる一対の第２の側面部と、
　一対の第２の側面部の下縁部にそれぞれ折曲可能に設けられ、組立時に互いに先端を突き合わせて底面部上に配置されるとともに折畳み時に上側枠部の内方域へ折り畳まれる一対の突合せ部とを備えている
　ことを特徴とする請求項１記載の包装装置。
【請求項３】
　第２の側面部は、第１の側面部より長辺に設けられている
　ことを特徴とする請求項２記載の包装装置。
【請求項４】
　蓋体は、長手方向の端部に上側枠部に着脱可能に係止する係止部を備えている
　ことを特徴とする請求項１ないし３いずれか一記載の包装装置。
【発明の詳細な説明】
【技術分野】
【０００１】
　本発明は、積み重ね可能とする包装装置に関する。
【背景技術】
【０００２】
　従来、例えば、物流において、物品を箱体に収納して輸送搬送する場合、この箱体を複数段に積み重ねた状態で輸送する形態が採られるが、輸送時における箱体の荷崩れを防止するために、箱体に積み重ね姿勢が安定するような工夫がなされている。
【０００３】
　箱体には、上側に物品を出し入れする開口部を有し、この開口部の周囲に枠状の上側枠部が設けられ、この上側枠部の四隅に水平断面略Ｌ字形のストッパがそれぞれ立設され、積み重ねる側つまり上段の箱体の底部が積み重ねられる側つまり下段の箱体の四隅のストッパの内側間に嵌まり込んだ状態で上側枠部上に載って積み重ねられる。（例えば、特許文献１参照。）。
【特許文献１】特開平６−１３５４４０号公報（第３−４頁、図１−２）
【発明の開示】
【発明が解決しようとする課題】
【０００４】
　しかしながら、箱体を積み重ねる場合には、上段の箱体の底部の四隅を下段の箱体の四隅のストッパの内側間に位置合わせして嵌め込むのが容易にできず、また、積み重ねられている箱体を降ろす場合には、上段の箱体を真上に持ち上げなければ、上段の箱体の底部を下段の箱体の四隅のストッパの内側間から外すことができず、高い位置の箱体を降ろすときや内容物が重いときなどには重労働となり、さらに、上段の箱体の底部が下段の箱体のストッパから外れる前に上段の箱体を横移動させてしまいやすく、積み重ねられている箱体の荷崩れが発生する問題がある。
【０００５】
　本発明は、このような点に鑑みなされたもので、箱体の積み降ろしがしやすく、箱体上に蓋体を配置してもこの箱体上に積み重ねる箱体が荷崩れせずに確実に積み重ねることができる包装装置を提供することを目的とする。
【課題を解決するための手段】
【０００６】
　請求項１記載の包装装置は、開口部を有する枠状でかつ互いに対向する２辺が他の辺より長く設けられた上側枠部、上側枠部の外形状に対応して設けられた底面部、上側枠部と底面部との間で折畳み可能に設けられた側面部を備えた箱体と；箱体の上側枠部上に開口部を閉塞して着脱可能に配置される蓋体と；箱体の上側枠部の長手方向に沿った２辺からそれぞれ立ち上げられたストッパ部を有し、これらストッパ部の内側間でかつ上側枠部上に蓋体と箱体を積み重ねる場合の積み重ねる側の箱体の底部とがそれぞれ配置可能とし、ストッパ部は蓋体の配置状態で蓋体より上方に突出するストッパ体とを具備しているものである。
【０００７】
　そして、この構成では、箱体の上側枠部の長手方向に沿った２辺にストッパ体のストッパ部をそれぞれ立ち上げたため、箱体を積み重ねる場合には上段の箱体の底部を下段の箱体のストッパ部の内側間にのみ位置合わせすれば容易に配置でき、箱体を降ろす場合には下段の箱体のストッパ部がない長手方向に上段の箱体を移動させることによって降ろすことが可能で、箱体の積み降ろしをしやすくなり、しかも、箱体の開口部を閉塞する蓋体をストッパ部の内側間でかつ上側枠体上に配置した状態でも、ストッパ部は蓋体より上方に突出するため、この箱体上に積み重ねる箱体が荷崩れせずに確実に積み重ねることが可能となる。
【０００８】
　請求項２記載の包装装置は、箱体の側面部は、上側枠部および底面部における一方の互いに対向する２辺に上下縁部がそれぞれ折曲可能に設けられ、組立時に箱体の側面に配置されるとともに折畳み時に中間部が箱体の内方域へ折り畳まれる一対の第１の側面部と、上側枠部における他方の互いに対向する２辺に上縁部がそれぞれ折曲可能に設けられ、組立時に一対の第１の側面部の内側間で箱体の側面に配置されるとともに折畳み時に箱体の内方域へ折り畳まれる一対の第２の側面部と、一対の第２の側面部の下縁部にそれぞれ折曲可能に設けられ、組立時に互いに先端を突き合わせて底面部上に配置されるとともに折畳み時に上側枠部の内方域へ折り畳まれる一対の突合せ部とを備えているものである。
【０００９】
　そして、この構成では、上側枠部および底面部における一方の互いに対向する２辺に一対の第１の側面部の上下縁部をそれぞれ折曲可能に設け、上側枠部における他方の互いに対向する２辺に一対の第２の側面部の上縁部をそれぞれ折曲可能に設け、一対の第２の側面部の下縁部に一対の突合せ部をそれぞれ折曲可能に設けたため、組立時において、一対の第１の側面部を箱体の側面に配置し、一対の第２の側面部を一対の第１の側面部間で箱体の側面に配置し、一対の突合せ部を互いの先端を突き合わせて底面部上に配置することにより、突合せ部によって第２の側面部を組立状態に保持し、組立状態での強度が確保され、第２の側面部に対して外力が加わっても第２の側面部が折り畳まれるのが確実に防止される。
【００１０】
　請求項３記載の包装装置は、請求項２記載の包装装置において、第２の側面部は、第１の側面部より長辺に設けられているものである。
【００１１】
　そして、この構成では、第２の側面部が第１の側面部より長辺に設けられるが、この長辺の第２の側面部が突合せ部を備えているため、組立状態での強度が確実に確保される。
【００１２】
　請求項４記載の包装装置は、請求項１ないし３いずれか一記載の包装装置において、蓋体は、長手方向の端部に上側枠部に着脱可能に係止する係止部を備えているものである。
【００１３】
　そして、この構成では、蓋体の長手方向の端部の係止部が上側枠部に係止するため、箱体を下段の箱体のストッパ部がない長手方向に移動させて降ろす場合に、蓋体が位置ずれせず、この蓋体上で箱体を滑らせて容易に降ろすことが可能となる。
【発明の効果】
【００１４】
　請求項１記載の包装装置によれば、箱体の上側枠部の長手方向に沿った２辺にストッパ体のストッパ部をそれぞれ立ち上げたため、箱体を積み重ねる場合には上段の箱体の底部を下段の箱体のストッパ部の内側間にのみ位置合わせすれば容易に配置でき、箱体を降ろす場合には下段の箱体のストッパ部がない長手方向に上段の箱体を移動させることによって降ろすことができ、箱体の積み降ろしをしやすくでき、しかも、箱体の開口部を閉塞する蓋体をストッパ部の内側間でかつ上側枠体上に配置した状態でも、ストッパ部は蓋体より上方に突出するため、この箱体上に積み重ねる箱体が荷崩れせずに確実に積み重ねることができる。
【００１５】
　請求項２記載の包装装置によれば、上側枠部および底面部における一方の互いに対向する２辺に一対の第１の側面部の上下縁部をそれぞれ折曲可能に設け、上側枠部における他方の互いに対向する２辺に一対の第２の側面部の上縁部をそれぞれ折曲可能に設け、一対の第２の側面部の下縁部に一対の突合せ部をそれぞれ折曲可能に設けたため、組立時において、一対の第１の側面部を箱体の側面に配置し、一対の第２の側面部を一対の第１の側面部間で箱体の側面に配置し、一対の突合せ部を互いの先端を突き合わせて底面部上に配置することにより、突合せ部によって第２の側面部を組立状態に保持し、組立状態での強度を確保でき、第２の側面部に対して外力が加わっても第２の側面部が折り畳まれるのを確実に防止できる。
【００１６】
　請求項３記載の包装装置によれば、請求項２記載の包装装置の効果に加えて、第２の側面部が第１の側面部より長辺に設けられるが、この長辺の第２の側面部が突合せ部を備えているため、組立状態での強度を確実に確保できる。
【００１７】
　請求項４記載の包装装置によれば、請求項１ないし３いずれか一記載の包装装置の効果に加えて、蓋体の長手方向の端部の係止部が上側枠部に係止するため、箱体を下段の箱体のストッパ部がない長手方向に移動させて降ろす場合に、蓋体が位置ずれせず、この蓋体上で箱体を滑らせて容易に降ろすことがきる。
【発明を実施するための最良の形態】
【００１８】
　以下、本発明の一実施の形態を図面を参照して説明する。
【００１９】
　図１ないし図７に第１の実施の形態を示し、図１は包装装置の斜視図であり、図２は包装装置の積み重ね状態の一部の断面図であり、図３は包装装置の箱体の折畳み途中を示す斜視図であり、図４は包装装置の箱体を示し、(a)は箱体の組立状態の断面図、(b)は箱体の折畳み途中の断面図、(c)は箱体の折畳み状態の断面図であり、図５は包装装置のダウンライトの包装形態を示す斜視図であり、図６は包装装置の別の包装形態を示す斜視図であり、図７は包装装置のさらに別の包装形態を示す斜視図である。
【００２０】
　図１ないし図４において、11は包装装置で、この包装装置11は、被包装物12を収納する折畳み可能とした箱体13、およびこの箱体13の上面に被包装物12を覆って着脱可能に配置される蓋体14を備えている。
【００２１】
　箱体13は、組立状態で被包装物12を収納する収納部20を有する長方形箱形に形成されており、上面には被包装物12を出し入れする開口部21およびこの開口部21を内側に有する長方形枠状の上側枠部22が配設され、収納部20の底面に上側枠部22の外形状に対応した長方形状の底面部23が配設され、上側枠部22と底面部23との間に折畳み可能とする側面部24が配設されている。
【００２２】
　箱体11の上側枠部22および底面部23の一方の互いに対向する２辺すなわち長手方向の両端に位置する２辺は他方の辺より短い短辺25に形成され、他方の互いに対向する２辺すなわち長手方向に沿った２辺は一方の辺より長い長辺26に形成されている。
【００２３】
　上側枠部22の短辺25および長辺26には例えば金属製の枠部材27，28がそれぞれ配置され、上側枠部22の四隅部には枠部材27，28の端部の外側に嵌合してねじ止めなどにより枠部材27，28間を連結する略Ｌ字形の連結部材29が取り付けられている。各枠部材27，28は、断面略コ字形に形成され、下面側に開口して側面部24の上端を保持する溝部27a，28aが形成されている。
【００２４】
　上側枠部22の長手方向に沿った２辺つまり各長辺26には、各長辺26の両端の連結部材29の間に各長辺26に沿ってストッパ体30がそれぞれ取り付けられている。これら各ストッパ体30は、例えば金属製で、枠部材28に上方から被着して取り付けられる取付溝31aを有する断面略コ字形の取付部31を有し、この取付部31の上面外側位置からストッパ部32が上方に立ち上げ形成されている。これらストッパ部32の内側間には、蓋体14と、箱体13を積み重ねる場合の積み重ねる側の箱体13の底部とがそれぞれ配置可能とし、取付部31からのストッパ部32の高さ寸法H1は蓋体14の厚み寸法H2より大きく、ストッパ部32には蓋体14の配置状態で蓋体14より上方に突出する高さ寸法H3が確保されている。
【００２５】
　底面部23は、例えばポリプロピレンなどの繰り返し使用に耐えうる耐久性を有する材質で形成され、長方形板状の底板部33を有し、この底板部33の両側の長辺26に立上部34がそれぞれ上方へ立ち上げ形成され、これら各立上部34に複数の係止孔34aが形成されている。
【００２６】
　上側枠部22および底面部23における一方の互いに対向する２辺すなわち短辺25には、側面部24を構成する一対の第１の側面部35の上下縁部がそれぞれ連結されている。これら各第１の側面部35は、例えばポリプロピレンなどの繰り返し使用に耐えうる耐久性を有する材質で形成され、それぞれ折曲部36a，36b，36cを介して連結された側板部37a，37b，37cを有し、上側の側板部37aの上端が枠部材27の溝部27aに挟み込まれて固定され、下側の側板部37cの下端が底面部23の底板部33の短辺25に折曲部36cを介して折曲可能に連結されており、中間および下側の側板部37b，37cが、それらの間の折曲部36b側が箱体13の内方へ向かうようにその折曲部36bで折り曲げられるとともに側板部37b，37cの上下の折曲部36a，36cが折り曲げられて、箱体13の内方へ折畳み可能としている。各折曲部36a，36b，36cは、例えば、第１の側面部35の素材を薄肉状としたヒンジ構造などで構成されている。
【００２７】
　上側枠部22における他方の互いに対向する２辺すなわち長辺26には、側面部24を構成する一対の第２の側面部38の上縁部が連結されている。これら各第２の側面部38は、例えばポリプロピレンなどの繰り返し使用に耐えうる耐久性を有する材質で形成され、上端が枠部材28の溝部28aに挟み込まれて固定され、この溝部28aに固定された部分より下側に設けられた折曲部39を介して箱体13の内方へ折り曲げて折畳み可能としている。折曲部39は、例えば、第２の側面部38の素材を薄肉状としたヒンジ構造などで構成されている。また、各第２の側面部38の下端である先端には、底面部23の各立上部34の各係止孔34aに差し込み係止される複数の係止部40が突設されている。なお、第２の側面部38の長辺26に沿った幅寸法は、一対の第１の側面部35の内側間の寸法と略同一に形成されている。
【００２８】
　両端の第１の側面部35における上側の側板部37a、および両側の第２の側面部38には、箱体13を取り扱う作業者の指を引っ掛けて作業するための取手孔41がそれぞれ開口形成されている。両側の第２の側面部38の取手孔41の位置は長手方向にずれた位置に形成されている。また、上側枠部22の長辺26にはフック42が取り付けられている。
【００２９】
　また、蓋体14は、例えばポリプロピレンなどの繰り返し使用に耐えうる耐久性を有する材質で、開口部21を閉塞するとともに上側枠体22上に載置可能とする形状寸法の長方形板状に形成され、長手方向の両端には箱体13の上側枠部22に着脱可能に係止する断面略Ｌ字形の係止部45が形成されている。この係止部45は、箱体13の両端面側に配置する端面部46、およびこの端面部46の先端に設けられて箱体13の上側枠部22の下側すなわち連結部材29の下側に着脱可能に引っ掛けられる引掛部47を有する断面略Ｌ字形に形成されている。
【００３０】
　そして、図１および図４(a)に示すように組立状態にある箱体13を折り畳むには、図３および図４(b)に示すように、両第２の側面部38の下部側を箱体13の内方へ押し込んで、係止部40を立上部34の係止孔34aから外すとともに、両第２の側面部38の上部側の折曲部39で折り曲げ、上側枠部22の内方域まで上昇移動させて折り畳む。
【００３１】
　両第１の側面部35の中間および下側の側板部37b，37cを、それらの間の折曲部36b側が箱体13の内方へ向かうようにその折曲部36bで折り曲げるとともに側板部37b，37cの上下の折曲部36a，36cで折り曲げ、両第１の側面部35を箱体13の内方へ折り畳む。
【００３２】
　両第１の側面部35を折り畳むのと同時に、図４(c)に示すように、上側枠部22と底面部23とを接近させ、箱体13を薄形に折り畳む。
【００３３】
　一方、折畳み状態にある箱体13を組み立てるには、上側枠部22を底面部23に対して引き上げ、両第１の側面部35の側板部37b，37cをそれぞれ立ち上げ、両第１の側面部35を箱体13の短辺25側の側面にそれぞれ配置する。
【００３４】
　これら両第１の側面部35間で両第２の側面部38を下方へ移動させ、両第２の側面部38の下端を底面部23上に当接させ、両第２の側面部38の先端の各係止部40を立上部34の各係止孔34aに差し込み係止させ、両第２の側面部38を箱体13の長辺26側の側面にそれぞれ配置する。
【００３５】
　また、包装装置11の使用時には、組立状態の箱体13内に被包装物12を収納し、両ストッパ体30のストッパ部32間でかつ上側枠体22上に箱体13の開口部21を覆って蓋体14を配置するとともに、この蓋体14の両係止部45を箱体13の上側枠部22に係止する。すなわち、蓋体14の係止部45の両端面部46を箱体13の両端面側に配置し、両端面部46の引掛部47を箱体13の上側枠部22の下側すなわち連結部材29の下側に引っ掛けて係止する。
【００３６】
　この箱体13に蓋体14を配置した状態では、図２に示すように、ストッパ部32が蓋体14より上方に突出している。
【００３７】
　また、箱体13を複数段に積み重ねる場合には、積み重ねる側つまり上段の箱体13の底部を、積み重ねられる側つまり下段の箱体13の両ストッパ体30のストッパ部32間でかつ上側枠体22上であって、既に配置されている蓋体14上に配置する。このとき、上段の箱体13の底部を下段の箱体13の両ストッパ部32の内側間にのみ位置合わせすればよいため、箱体13の四隅にあるストッパがある場合に比べて容易に配置できる。
【００３８】
　積み重ねられている上段の箱体13を降ろす場合には、上段の箱体13を上方に持ち上げて下段の箱体13上から降ろすことができるが、下段の箱体13のストッパ部32がない長手方向に上段の箱体13を移動させることによって箱体13を持ち上げずに降ろすことができる。このとき、蓋体14の長手方向の端部の係止部45が上側枠部22に係止しているため、箱体13を下段の箱体13のストッパ部32がない長手方向に移動させて降ろす場合に、蓋体14が位置ずれせず、この蓋体14上で箱体13を滑らせて容易に降ろすことがきる。
【００３９】
　このように、包装装置11によれば、箱体13の上側枠部22の長手方向に沿った２辺にのみストッパ体30のストッパ部32をそれぞれ立ち上げたため、箱体13を積み重ねる場合には上段の箱体13の底部を下段の箱体13のストッパ部32の内側間にのみ位置合わせすれば容易に配置でき、箱体13を降ろす場合には下段の箱体13のストッパ部32がない長手方向に上段の箱体13を移動させることによって降ろすことができ、箱体13の積み降ろしをしやすくでき、しかも、箱体13の開口部21を閉塞する蓋体14をストッパ部32の内側間に配置した状態でも、ストッパ部32は蓋体14より上方に突出するため、この箱体13上に積み重ねる箱体13が荷崩れせずに確実に積み重ねることができる。
【００４０】
　また、図１には、被包装物12として例えば４０Ｗ型の直管形蛍光ランプを２灯使用する長尺な照明器具51を示し、２台の照明器具51を上下に重ねて包装装置11で包装する包装形態を示す。箱体13の開口部21を通じて底面部23上に下側の照明器具51を載置して収納部20に収納した後、この下側の照明器具51の両端側に断面略コ字形で折畳み可能とする例えばポリプロピレンなどの繰り返し使用に耐えうる耐久性を有する材質の仕切体52を配置し、これら仕切体52を介して下側の照明器具51上に上側の照明器具51を載置して収納部20に収納し、箱体13の開口部21を蓋体14で覆う。仕切体52によって照明器具51同士が接触して傷が付くのを防止でき、蓋体14によって照明器具51に埃などが付着するのを低減できる。
【００４１】
　また、図５には、被包装物12としてダウンライト55を示し、複数のダウンライト55を包装装置11で包装する包装形態を示す。箱体13の収納部20には、複数のダウンライト55を１個ずつ仕切って収納するためのポリプロピレンなどの繰り返し使用に耐えうる耐久性を有する材質で折畳み可能とする仕切体56が用いられ、この仕切体56によってダウンライト55同士が接触して傷が付くのを防止できる。この場合、図１に示した２台の照明器具51を収納する箱体13を共通に使用できる。
【００４２】
　また、図６には、被包装物12として例えば４０Ｗ型の直管形蛍光ランプを２灯使用する長尺な照明器具51を示し、４台の照明器具51を上下左右に配列して包装装置11で包装する包装形態を示す。図１に示す箱体13に比べて大型の箱体13が用いられ、この箱体13内に仕切体52を利用して４台の照明器具51を収納できる。
【００４３】
　また、図７には、被包装物12として例えば４０Ｗ型の直管形蛍光ランプを２灯使用する長尺な照明器具51を示し、９台の照明器具51を上下左右に配列して包装装置11で包装する包装形態を示す。図１および図６に示す箱体13に比べて大型の箱体13が用いられ、この箱体13内に仕切体52を利用して９台の照明器具51を収納できる。パレット59が用いられ、このパレット59上に箱体13を載せて運搬可能とする。
【００４４】
　そして、例えば、図１および図５と、図６と、図７とに示した大きさの異なる３種類の箱体13を基本仕様とし、仕切体52，56などを代えることにより、外観形状の違う複数種の被包装物12の包装に対応できるとともに、数種類の被包装物12の同時包装に対応できる。
【００４５】
　そして、図１、図５ないし図７の各包装形態で照明器具51またはダウンライト55を包装した包装装置11を施工場所に運搬し、箱体13から各照明器具51またはダウンライト55を取り出して施工する。
【００４６】
　照明器具51またはダウンライト55を取り出した箱体13は、上述したように折り畳んでコンパクトにできる。そのため、複数の箱体13を一度にまとめて回収することができる。また、蓋体14や仕切体52，56は、箱体13ほどはかさばらないため、一度にまとめて回収できる。
【００４７】
　また、回収した箱体13などは、再組立して再使用できる。したがって、包装装置11は、施工場所で、ダンボール箱などのような廃棄物が発生せず、環境に配慮できる。
【００４８】
　次に、図８および図９に第２の実施の形態を示し、各第２の側面部38の下縁部である先端に、突合せ部61がそれぞれ折曲部62を介して折曲可能に設けられている。折曲部62は、例えば、第２の側面部38の素材を薄肉状としたヒンジ構造などで構成されている。
【００４９】
　一対の突合せ部61は、組立時に、底面部23上に配置され、第２の側面部38とで断面略Ｌ字形に形成される。底面部23の両側の立上部34間の間隔とこの底面部23上に配置される一対の突合せ部61を合わせた長さとが略同一に形成され、そのため、組立時に、一対の突合せ部61の互いの先端61aを突き合わせた状態で底面部23上に配置される。なお、折畳み時の第２の側面部38と突合せ部61とを合わせた長さ、すなわち第２の側面部38の折曲部39から底面部61の先端61aまで長さは、上側枠部22の両側の長辺26間の幅より短く設定されている。
【００５０】
　一対の突合せ部61の先端61aの中央には、折畳み時に、指を差し込んで底面部23から各突合せ部61を上方へ引き上げ操作するための孔部63が形成されている。
【００５１】
　そして、図８(a)および図９に示すように組立状態にある箱体13を折り畳むには、図８(b)に示すように、一方の突合せ部61を上方へ引き上げながら係止部40を立上部34の係止孔34aから外し、一方の第２の側面部38を折曲部39で折り曲げ、これら一方の突合せ部61および一方の第２の側面部38を直線状に引き伸ばしながら上側枠部22の内方域まで上昇移動させて折り畳む。同様にして、他方の突合せ部61および他方の第２の側面部38を、一方の突合せ部61および一方の第２の側面部38の下側に折り畳む。
【００５２】
　両第１の側面部35の中間および下側の側板部37b，37cを、それらの間の折曲部36b側が箱体13の内方へ向かうようにその折曲部36bで折り曲げるとともに側板部37b，37cの上下の折曲部36a，36cで折り曲げ、両第１の側面部35を箱体13の内方へ折り畳む。
【００５３】
　第１の側面部35を折り畳むのと同時に、図８(c)に示すように、上側枠部22と底面部23とを接近させ、箱体13を薄形に折り畳む。
【００５４】
　一方、折畳み状態にある箱体13を組み立てるには、上側枠部22を底面部23に対して引き上げ、両第１の側面部35の側板部37b，37cをそれぞれ立ち上げ、両第１の側面部35を箱体13の短辺25側の側面にそれぞれ配置する。
【００５５】
　これら両第１の側面部35間で両第２の側面部38および両突合せ部61を下方へ移動させ、両第２の側面部38の下端を底面部23上に当接させ、両第２の側面部38の各係止部40を立上部34の各係止孔34aに差し込み係止させることにより、各第２の側面部38を箱体13の長辺26側の側面にそれぞれ配置し、さらに、両突合せ部61の先端61aを互いに突き合わせて底面部23上に配置する。
【００５６】
　箱体13の組立状態では、一対の第１の側面部35を箱体13の側面に配置し、一対の第２の側面部38を一対の第１の側面部35間で箱体13の側面に配置し、一対の突合せ部61を互いの先端61aを突き合わせて底面部23上に配置することにより、突合せ部61によって第２の側面部38を所定位置に保持し、組立状態での強度を確保でき、第２の側面部38に対して外力が加わっても第２の側面部38が折り畳まれるのを確実に防止できる。
【００５７】
　さらに、箱体13の長辺26に位置する第２の側面部38は短辺25に位置する第１の側面部35より長く、強度的に弱くなりがちであるが、この第２の側面部38に突合せ部61を設けることによって、組立状態での強度を確実に確保できる。
【００５８】
　また、箱体13の底面部23の底板部33と突合せ部61とが上下に重なって箱体13の突合せ部分が２重になり、組立状態での強度を確保できる。
【００５９】
　なお、箱体13の折畳み時に、突合せ部61と第２の側面部38とを直線状に引き伸ばすようにして折り畳んだが、突合せ部61を第２の側面部38の内面側に重なるように折り畳んでもよい。
【００６０】
　また、前記各実施の形態において、第１の側面部35の各折曲部36a，36b，36c、第２の側面部38の折曲部39、第２の側面部38と突合せ部61との間の折曲部62は、素材を薄肉状としたヒンジ構造などに限らず、軸によって折曲可能に軸支してもよい。
【図面の簡単な説明】
【００６１】
【図１】本発明の第１の実施の形態の包装装置の斜視図である。
【図２】同上包装装置の積み重ね状態の一部の断面図である。
【図３】同上包装装置の箱体の折畳み途中を示す斜視図である。
【図４】同上包装装置の箱体を示し、(a)は箱体の組立状態の断面図、(b)は箱体の折畳み途中の断面図、(c)は箱体の折畳み状態の断面図ある。
【図５】同上包装装置のダウンライトの包装形態を示す斜視図である。
【図６】同上包装装置の別の包装形態を示す斜視図である。
【図７】同上包装装置のさらに別の包装形態を示す斜視図である。
【図８】本発明の第２の実施の形態の包装装置を示し、(a)は組立状態の断面図、(b)は折畳み途中の断面図、(c)は折畳み状態の断面図である。
【図９】同上包装装置の斜視図である。
【符号の説明】
【００６２】
　11　　包装装置
　13　　箱体
　14　　蓋体
　21　　開口部
　22　　上側枠部
　23　　底面部
　24　　側面部
　30　　ストッパ体
　32　　ストッパ部
　35　　第１の側面部
　38　　第２の側面部
　45　　係止部
　61　　突合せ部
【図１】
2004131185.tif 000003
【図２】
2004131185.tif 000004
【図３】
2004131185.tif 000005
【図４】
2004131185.tif 000006
【図５】
2004131185.tif 000007
【図６】
2004131185.tif 000008
【図７】
2004131185.tif 000009
【図８】
2004131185.tif 000010
【図９】
2004131185.tif 000011